(57)【要約】【課題】建物内の床の上に容易かつ確実に設置することが可能なガラス手摺りおよびガラス手摺りの施工方法を提供することを目的とする。【解決手段】笠木３０は、ガラス面材２０の上端部２０ａが挿入される溝部３０ａを備えており、溝部３０ａは、緩衝材３１ａが取り付けられた垂直面部３１と、この垂直面部３１に対向する対向面部３２とを有しており、対向面部３２とガラス面材２０の上端部２０ａの他方の側面との間の隙間にはガラス面材２０の上端部２０ａを、緩衝材３１ａ側に押し付けるようにして固定するための固定材３３が挿入されている。これにより、笠木を固定した後にガラス面材を施工できるので、従来に比して、笠木を壁と壁との間に容易かつ確実に固定でき、ガラス面材の上端部を、緩衝材側に押し付けるようにして容易かつ確実に固定できる。【選択図】図１
2010185234.tif 000002
【特許請求の範囲】
【請求項１】
建物内の床に立設されるガラス面材と、このガラス面材の上端部に設けられるとともに、前記床に所定の間隔をあけて配置された壁と壁との間に架け渡されて固定される笠木とを有するガラス手摺りにおいて、
前記笠木は、この笠木の長さ方向に延在するとともに下方に向かって開口し、前記ガラス面材の上端部が挿入される溝部を備えており、
前記溝部は、前記笠木の中央部分に向かって垂直に設けられるとともに、前記ガラス面材の上端部の一方の側面が当接する緩衝材が取り付けられた垂直面部と、
この垂直面部に対向するとともに、前記ガラス面材の上端部の他方の側面との間に隙間をあけて設けられる対向面部とを有しており、
前記対向面部と前記ガラス面材の上端部の他方の側面との間の隙間には、前記溝部に挿入されたガラス面材の上端部を、前記緩衝材側に押し付けるようにして固定するための固定材が挿入されていることを特徴とするガラス手摺り。
【請求項２】
請求項１に記載のガラス手摺りにおいて、
前記笠木は、この笠木の長さ方向に沿って中空状に形成されていることを特徴とするガラス手摺り。
【請求項３】
請求項２に記載のガラス手摺りにおいて、
前記笠木の上部の内側面と、前記ガラス面材の上端部との間には隙間が形成されていることを特徴とするガラス手摺り。
【請求項４】
請求項１〜３のいずれか一項に記載のガラス手摺りにおいて、
前記笠木は、この笠木の下面の中央に、この笠木の長さ方向に沿って配置されるとともに、この笠木の下面よりも該笠木の中央側に向かって凹むようにして形成される凹部を備えており、
この凹部の中央に前記溝部が設けられており、
この凹部は、前記溝部の開口縁部よりも下方に位置する前記緩衝材および固定材の下端部を収容する収容スペースとなっていることを特徴とするガラス手摺り。
【請求項５】
請求項１〜４のいずれか一項に記載のガラス手摺りを建物内の床に立設するガラス手摺りの施工方法であって、
予め、前記床の上面に、前記ガラス面材の下端部が嵌め込まれる嵌め込み溝部を有する下枠を、前記壁と壁との間にわたって取り付けておき、
続いて、前記壁と壁との間の所定の高さ位置に、前記笠木を、前記下枠の上方に位置するようにして架け渡して固定し、
続いて、前記ガラス面材の上端部を前記笠木の溝部に斜めに挿入してから、このガラス面材の上端部を軸にしながら該ガラス面材を垂直となるように回転させ、その後、このガラス面材の上端部を前記溝部に挿入した状態で、このガラス面材の下端部を前記下枠の嵌め込み溝部に嵌め込み、
続いて、前記溝部の対向面部と前記ガラスの上端部の他方の側面との間の隙間に、前記固定材を挿入して、前記ガラス面材の上端部を前記緩衝材側に押し付けるようにして固定し、
その後、前記下枠および前記ガラス面材の下端部を化粧材で被覆することを特徴とするガラス手摺りの施工方法。
【発明の詳細な説明】
【技術分野】
【０００１】
本発明は、建物内の床に立設されるガラス面材と、このガラス面材の上端部に設けられる笠木とを有するガラス手摺りおよびガラス手摺りの施工方法に関する。
【背景技術】
【０００２】
床面から立設する複数の支持柱に支持された手摺又は壁等に支持された手摺と、床面に取り付けられた下枠とにガラス面材が固定されたガラス手摺構造が知られている（例えば、特許文献１参照）。
この特許文献１に記載の技術においては、まず、ガラス面材が、床基礎材の上に取り付けられた固定部材によって固定されるとともに接着剤で接着されてから、このガラス面材の上端部に笠木が接着固定され、その後、この笠木が壁固定具を用いて壁面に固定されている。
【先行技術文献】
【特許文献】
【０００３】
【特許文献１】特開平５−７１２０４号公報
【発明の概要】
【発明が解決しようとする課題】
【０００４】
ところが、ガラス面材の上端部に笠木を取り付けた状態で、この笠木を壁面に固定するとなると、壁際の狭いスペースで笠木の固定作業を行うため、笠木を壁面に固定しにくい場合があった。
そこで、予め笠木を壁面に固定してから、ガラス面材の上端部を笠木に取り付けるなどしてガラス手摺りの施工を行いたいという要望がある。しかし、例えば特許文献１に記載の技術のように笠木の溝とガラス面材の上端部とが嵌合するような構成であった場合、笠木を壁面に固定してから、この笠木の溝にガラス面材を挿入するのは困難であった。
【０００５】
本発明の課題は、笠木を固定した後にガラス面材を施工でき、建物内の床の上に容易かつ確実に設置することが可能なガラス手摺りおよびガラス手摺りの施工方法を提供することを目的とする。
【課題を解決するための手段】
【０００６】
請求項１に記載の発明は、例えば図１〜図８に示すように、建物内の床１に立設されるガラス面材２０と、このガラス面材２０の上端部２０ａに設けられるとともに、前記床１に所定の間隔をあけて配置された壁２と壁３との間に架け渡されて固定される笠木３０（４０，５０，６０）とを有するガラス手摺り１０において、
前記笠木３０（４０，５０，６０）は、この笠木３０（４０，５０，６０）の長さ方向に延在するとともに下方に向かって開口し、前記ガラス面材２０の上端部２０ａが挿入される溝部３０ａ（４０ａ，５０ａ，６０ａ）を備えており、
前記溝部３０ａ（４０ａ，５０ａ，６０ａ）は、前記笠木３０（４０，５０，６０）の中央部分に向かって垂直に設けられるとともに、前記ガラス面材２０の上端部２０ａの一方の側面が当接する緩衝材３１ａ（４１ａ，５１ａ，６１ａ）が取り付けられた垂直面部３１（４１，５１，６１）と、
この垂直面部３１（４１，５１，６１）に対向するとともに、前記ガラス面材２０の上端部２０ａの他方の側面との間に隙間をあけて設けられる対向面部３２（４２，５２，６２）とを有しており、
前記対向面部３２（４２，５２，６２）と前記ガラス面材２０の上端部２０ａの他方の側面との間の隙間には、前記溝部３０ａ（４０ａ，５０ａ，６０ａ）に挿入されたガラス面材２０の上端部２０ａを、前記緩衝材３１ａ（４１ａ，５１ａ，６１ａ）側に押し付けるようにして固定するための固定材３３（４３，５３，６３）が挿入されていることを特徴とする。
【０００７】
請求項１に記載の発明によれば、前記壁２と壁３との間に架け渡されて固定された笠木３０（４０，５０，６０）は、前記溝部３０ａ（４０ａ，５０ａ，６０ａ）を備えており、この溝部３０ａ（４０ａ，５０ａ，６０ａ）は、前記緩衝材３１ａ（４１ａ，５１ａ，６１ａ）が取り付けられた垂直面部３１（４１，５１，６１）と対向面部３２（４２，５２，６２）とを有していることから、前記ガラス面材２０を、前記笠木３０（４０，５０，６０）を前記壁２と壁３との間に架け渡した後から施工できるので、従来に比して、前記笠木３０（４０，５０，６０）を前記壁２と壁３との間に容易かつ確実に固定することができる。
さらに、前記対向面部３２（４２，５２，６２）と前記ガラス面材２０の上端部２０ａの他方の側面との間の隙間に前記固定材３３（４３，５３，６３）が挿入されているので、前記溝部３０ａ（４０ａ，５０ａ，６０ａ）に挿入されたガラス面材２０の上端部２０ａを、前記緩衝材３１ａ（４１ａ，５１ａ，６１ａ）側に押し付けるようにして容易かつ確実に固定することができる。
これによって、前記ガラス手摺り１０を、建物内の床１の上に容易かつ確実に設置することが可能となる。
【０００８】
請求項２に記載の発明は、例えば図２〜図７に示すように、請求項１に記載のガラス手摺り１０において、
前記笠木３０（４０，５０）は、この笠木３０（４０，５０）の長さ方向に沿って中空状に形成されていることを特徴とする。
【０００９】
請求項２に記載の発明によれば、前記笠木３０（４０，５０）は、この笠木３０（４０，５０）の長さ方向に沿って中空状に形成されているので、前記笠木３０（４０，５０）を軽量化できるとともに、コストを低減することができる。
【００１０】
請求項３に記載の発明は、例えば図２〜図７に示すように、請求項２に記載のガラス手摺り１０において、
前記笠木３０（４０，５０）の上部の内側面と、前記ガラス面材２０の上端部２０ａとの間には隙間Ｓが形成されていることを特徴とする。
【００１１】
請求項３に記載の発明によれば、前記笠木３０（４０，５０）の上部の内側面と、前記ガラス面材２０の上端部２０ａとの間に隙間Ｓが形成されているので、上部から圧力がかかっても、この隙間Ｓを利用して前記笠木３０（４０，５０）を撓むように変形させることができ、前記笠木３０（４０，５０）の破損を確実に防ぐことができる。
【００１２】
請求項４に記載の発明は、例えば図６および図７に示すように、請求項１〜３のいずれか一項に記載のガラス手摺り１０において、
前記笠木４０，５０は、この笠木４０，５０の下面の中央に、この笠木４０，５０の長さ方向に沿って配置されるとともに、この笠木４０，５０の下面よりも該笠木４０，５０の中央側に向かって凹むようにして形成される凹部４０ｂ，５０ｂを備えており、
この凹部４０ｂ，５０ｂの中央に前記溝部４０ａ，５０ａが設けられており、
この凹部４０ｂ，５０ｂは、前記溝部４０ａ，５０ａの開口縁部よりも下方に位置する前記緩衝材４１ａ，５１ａおよび固定材４３，５３の下端部を収容する収容スペースとなっていることを特徴とする。
【００１３】
請求項４に記載の発明によれば、前記凹部４０ｂ，５０ｂは、前記溝部４０ａ，５０ａの開口縁部よりも下方に位置する前記緩衝材４１ａ，５１ａおよび固定材４３，５３の下端部を収容する収容スペースとなっているので、前記緩衝材４１ａ，５１ａおよび固定材４３，５３の下端部を前記凹部４０ｂ，５０ｂ内に確実に収容することができる。これによって、前記笠木４０，５０を正面（背面）または下方から見たときに、前記緩衝材４１ａ，５１ａおよび固定材４３，５３の下端部が、前記笠木４０，５０の下面からはみ出すことを確実に防ぎ、外観性の向上を図ることができる。
【００１４】
請求項５に記載の発明は、例えば図１〜図８に示すように、請求項１〜４のいずれか一項に記載のガラス手摺り１０を建物内の床１に立設するガラス手摺り１０の施工方法であって、
予め、前記床１の上面に、前記ガラス面材２０の下端部２０ｂが嵌め込まれる嵌め込み溝部４ａを有する下枠４を、前記壁２と壁３との間にわたって取り付けておき、
続いて、前記壁２と壁３との間の所定の高さ位置に、前記笠木３０（４０，５０，６０）を、前記下枠４の上方に位置するようにして架け渡して固定し、
続いて、前記ガラス面材２０の上端部２０ａを前記笠木３０（４０，５０，６０）の溝部３０ａ（４０ａ，５０ａ，６０ａ）に斜めに挿入してから、このガラス面材２０の上端部２０ａを軸にしながら該ガラス面材２０を垂直となるように回転させ、その後、このガラス面材２０の上端部２０ａを前記溝部３０ａ（４０ａ，５０ａ，６０ａ）に挿入した状態で、このガラス面材２０の下端部２０ｂを前記下枠４の嵌め込み溝部４ａに嵌め込み、
続いて、前記溝部３０ａ（４０ａ，５０ａ，６０ａ）の対向面部３２（４２，５２，６２）と前記ガラス２０の上端部２０ａの他方の側面との間の隙間に、前記固定材３３（４３，５３，６３）を挿入して、前記ガラス面材２０の上端部２０ａを前記緩衝材３１ａ（４１ａ，５１ａ，６１ａ）側に押し付けるようにして固定し、
その後、前記下枠４および前記ガラス面材２０の下端部２０ａを化粧材５で被覆することを特徴とする。
【００１５】
請求項５に記載の発明によれば、まず、前記壁２と壁３との間の所定の高さ位置に、前記笠木３０（４０，５０，６０）を架け渡して固定することから、前記ガラス面材２０を、前記笠木３０（４０，５０，６０）を壁２と壁３との間に架け渡した後から施工できるので、従来に比して、前記笠木３０（４０，５０，６０）を前記壁２と壁３との間に、より容易かつ確実に固定することができる。
また、前記ガラス面材２０の上端部２０ａを前記笠木３０（４０，５０，６０）の溝部３０ａ（４０ａ，５０ａ，６０ａ）に斜めに挿入してから、このガラス面材２０の上端部２０ａを軸にしながら該ガラス面材２０を垂直となるように回転させ、その後、このガラス面材２０の上端部２０ａを前記溝部３０ａ（４０ａ，５０ａ，６０ａ）に挿入した状態で、このガラス面材２０の下端部２０ｂを前記下枠４の嵌め込み溝部４ａに嵌め込むので、前記ガラス面材２０を前記建物内の床１上に容易かつ確実に立設させることができる。
さらに、前記溝部３０ａ（４０ａ，５０ａ，６０ａ）の対向面部３２（４２，５２，６２）と前記ガラス面材２０の上端部２０ａの他方の側面との間の隙間に、前記固定材３３（４３，５３，６３）を挿入して、前記ガラス面材２０の上端部２０ａを前記緩衝材３１ａ（４１ａ，５１ａ，６１ａ）側に押し付けるようにして固定するので、前記溝部３０ａ（４０ａ，５０ａ，６０ａ）に挿入されたガラス面材２０の上端部２０ａを、前記緩衝材３１ａ（４１ａ，５１ａ，６１ａ）側に押し付けるようにして、より容易かつ確実に固定することができる。
これによって、前記ガラス手摺り１０を、建物内の床１の上に、より容易かつ確実に設置することが可能となる。
その上、前記ガラス面材２０を固定した後に、前記下枠４および前記ガラス面材２０の下端部２０ｂを化粧材５で被覆するので、この化粧材５によって前記下枠４およびガラス面材２０の下端部２０ｂを遮蔽することができ、外観性に優れる。
【発明の効果】
【００１６】
本発明によれば、床に所定の間隔をあけて配置された壁と壁との間に架け渡されて固定された笠木は、ガラス面材の上端部が挿入される溝部を備えており、この溝部は、ガラス面材の上端部の一方の側面が当接する緩衝材が取り付けられた垂直面部と、ガラス面材の上端部の他方の側面との間に隙間をあけて設けられる対向面部とを有していることから、ガラス面材を、笠木を壁と壁との間に架け渡した後から施工できるので、従来に比して、笠木を壁と壁との間に容易かつ確実に固定することができる。
さらに、対向面部とガラス面材の上端部の他方の側面との間の隙間に固定材が挿入されているので、溝部に挿入されたガラス面材の上端部を、緩衝材側に押し付けるようにして容易かつ確実に固定することができる。
これによって、ガラス手摺りを、建物内の床の上に容易かつ確実に設置することが可能となる。
【図面の簡単な説明】
【００１７】
【図１】ガラス手摺りおよびその周辺を示す斜視図である。
【図２】ガラス手摺りおよびその周辺を示す側断面図である。
【図３】ガラス手摺りを構成する笠木を示す側面図である。
【図４】ガラス手摺りの上部付近を示す部分拡大斜視図である。
【図５】笠木の固定態様を示す概略図である。
【図６】笠木の他の一例を示す側断面図である。
【図７】笠木の他の一例を示す側断面図である。
【図８】笠木の他の一例を示す側断面図である。
【発明を実施するための形態】
【００１８】
以下、図面を参照して本発明の実施の形態について説明する。
図１は本発明に係るガラス手摺りの一例を示す斜視図である。
図１において符号１０は、ガラス手摺りを示す。このガラス手摺り１０は、建物内の床１に立設されるガラス面材２０と、このガラス面材２０の上端部２０ａに設けられるとともに、前記床１に所定の間隔をあけて配置された壁２と壁３との間に架け渡されて固定される笠木３０とを有するものである。
そして、このガラス手摺り１０は、前記床１に、下階６の部屋の上部空間に面して設置されたものである。なお、下階６の部屋の上部空間は吹き抜け部であってもよく、適宜変更可能である。
【００１９】
ここで、前記建物内の床１とは、図２に示すように、下階６の床６ａ上に立設される壁１ａと、下階６の床６ａの上方の所定の高さ位置に配置される中間床１ｂとで構成されるものであり、この床１上は中間階７とされ、前記中間床１ｂと下階６の床６ａとの間は収納室８とされている。
なお、図２に示すように、前記ガラス手摺り１０の上方には、前記中間階７から利用できる収納棚７ａが設けられている。
【００２０】
また、前記壁２および壁３は、図１に示すように、前記床１上に、所定の間隔をあけて配置されて立設されており、これら壁２および壁３の表面は、前記下階６の床６ａ上に立設される壁の表面と連続する壁面として設けられている。
【００２１】
なお、前記収納室８の天井高は０．９ｍ〜１．４ｍの範囲で適宜設定されている。この０．９ｍ〜１．４ｍの天井高とは、人が前記収納室８に入って、何とか作業ができる最低限の高さを確保するための高さ範囲であり、かつ、このように天井高を必要最小限に抑えることで、建物の高さが高くなることによって隣接する建物に及ぼす日照減少等の影響を極力少なくすることができる高さ範囲である。
【００２２】
また、前記床１を構成する壁１ａの上面には、図２に示すように、前記ガラス面材２０の下端部２０ｂが嵌め込まれる嵌め込み溝部４ａを有する下枠４が、前記壁２と壁３との間にわたって取り付けられている。
この下枠４は断面視略凹字型に形成されることによって前記嵌め込み溝部４ａを有しており、この嵌め込み溝部４ａは、前記下枠４の長さ方向に沿って、すなわち前記壁２と壁３との間にわたって形成されている。そして、この嵌め込み溝部４ａの底面に、前記ガラス面材２０の下端部２０ｂが載せられるゴム等の弾性材４ｂが設けられており、この弾性材４ｂの上に、この弾性材４ｂに載せられたガラス面材２０の下端部２０ｂの一方の側面と、他方の側面に密接するパッキン材４ｃが設けられている。
【００２３】
また、前記下枠４には、この下枠４と、この下枠４の嵌め込み溝部４ａに嵌め込まれるガラス面材２０の下端部２０ｂとを被覆する化粧材５が設けられるようになっている。この化粧材５の下階６の部屋側には、下階６の部屋の壁を構成する壁面材の上端部が位置しており、化粧材５の中間階７側には、中間床１ｂ上に敷設される床材の端部を見切る見切り材５ａが設けられている。
【００２４】
一方、前記ガラス面材２０は矩形状に形成されており、本実施の形態においては、前記壁２と壁３との間に２枚のガラス面材２０が設けられている。これら２枚のガラス面材２０は、隣り合う側端部間に隙間を形成するようにして配置されている。これによって、例えば１枚で、これら２枚のガラス面材２０，２０に匹敵する大きさのガラス面材を使用する場合に比して、地震等による躯体の変形時に、ひび割れや破損等を防ぎやすくなっている。
【００２５】
また、前記笠木３０は、図３のような側面視において左右の長さが例えば約５４ｍｍ、厚さが約２７ｍｍの部材であり、同一断面で長さ方向、すなわち、前記壁２と壁３との間にわたって連続する長尺物である。
この笠木３０は、廃材から得られた木粉（セルロース系微粉粒）と樹脂との混合材料を押出成形してなる中空状のものであり、図３のような側面視において、平仮名の「の」の字に近い形状となるように形成されている。下面には、この笠木の長さ方向に延在するとともに下方に向かって開口し、前記ガラス面材２０の上端部２０ａが挿入される溝部３０ａが形成されている。この溝部３０ａは、前記笠木３０の中央部分に向かって垂直に設けられる垂直面部３１と、この垂直面部３１に対向する対向面部３２とを有している。
また、この笠木３０は、使用状態を示す図２および図４に示すように、前記溝部３０ａに前記ガラス面材２０の上端部２０ａを挿入するようにしてガラス手摺り１０を構成するものである。このガラス面材２０の上端部２０ａは、前記垂直面部３１に、前記ガラス面材２０の上端部２０ａの一方の側面が当接する緩衝材３１ａを取り付け、前記対向面部３２と前記ガラス面材２０の上端部２０ａの他方の側面との間の隙間に、ガラス面材２０の上端部２０ａを、前記緩衝材３１ａ側に押し付けるようにして固定するための固定材３３を挿入することで固定される。
【００２６】
また、この笠木３０の上部の内側面と、前記ガラス面材２０の上端部２０ａとの間には、隙間Ｓが形成されている。すなわち、この隙間Ｓを形成できるような高さ位置に、前記笠木３０が配置固定されていることとなる。つまり、前記下枠４の嵌め込み溝部４ａに下端部２０ｂを嵌め込むようにして立設されるガラス面材２０の高さよりも、前記隙間Ｓ分高い位置に前記笠木３０の上部の内側面が位置するようにして、この笠木３０が固定されている。
【００２７】
また、この笠木３０は、長さ方向両端部が、前記壁２および壁３にそれぞれ固定されている。固定には、図２および図５に示す固定金具７０が用いられている。
この固定金具７０は、前記壁２および壁３の表面に固定される固定板部７１と、この固定板部７１の一端部から、この固定板部７１に対して直角に設けられるとともに、前記笠木３０の側部の内側面に当接する当接板部７２とからなる略Ｌ字型の部材である。
前記固定板部７１および当接板部７２には、それぞれ、止着材７３を設けるための孔部７１ａ，７２ａが形成されている。
【００２８】
なお、本実施の形態の笠木３０は、上述のような形態に限られるものではなく、適宜変更可能である。
その他の一例として、図６に示すような笠木４０が挙げられる。
この笠木４０は、この笠木４０の長さ方向に沿って中空状に形成されており、前記ガラス面材２０の上端部２０ａが挿入される溝部４０ａを備えている。また、この溝部４０ａは、緩衝材４１ａが取り付けられた垂直面部４１と対向面部４２とを有しており、この対向面部４２と前記ガラス面材２０の上端部２０ａの他方の側面との間の隙間には固定材４３が挿入される構成となっている。
また、この笠木４０の上部の内側面と、前記ガラス面材２０の上端部２０ａとの間には隙間Ｓが形成されるようになっている。
【００２９】
さらに、この笠木４０は、この笠木４０の下面の中央に、この笠木４０の長さ方向に沿って配置されるとともに、この笠木４０の下面よりも該笠木４０の中央側に向かって凹むようにして形成される凹部４０ｂを備えており、この凹部４０ｂの中央に前記溝部４０ａが設けられており、この凹部４０ｂは、前記溝部４０ａの開口縁部よりも下方に位置する前記緩衝材４１ａおよび固定材４３の下端部を収容する収容スペースとなっている。
これにより、前記緩衝材４１ａおよび固定材４３の下端部を前記凹部４０ｂ内に確実に収容することができるので、前記笠木４０を正面（背面）または下方から見たときに、前記緩衝材４１ａおよび固定材４３の下端部が、前記笠木４０の下面からはみ出すことを確実に防ぎ、外観性の向上を図ることができる。
【００３０】
また、前記笠木３０の他の一例として、図７に示すような笠木５０が挙げられる。
この笠木５０は、この笠木５０の長さ方向に沿って中空状に形成されるとともに、断面視略楕円状に形成されており、前記ガラス面材２０の上端部２０ａが挿入される溝部５０ａを備えている。また、この溝部５０ａは、緩衝材５１ａが取り付けられた垂直面部５１と対向面部５２とを有しており、この対向面部５２と前記ガラス面材２０の上端部２０ａの他方の側面との間の隙間には固定材５３が挿入される構成となっている。
また、この笠木５０の上部の内側面と、前記ガラス面材２０の上端部２０ａとの間には隙間Ｓが形成されるようになっている。
さらに、この笠木５０は、この笠木５０の下面の中央に、この笠木５０の長さ方向に沿って配置されるとともに、この笠木５０の下面よりも該笠木５０の中央側に向かって凹むようにして形成される凹部５０ｂを備えており、前記笠木４０の凹部４０ｂと同じく、前記緩衝材５１ａおよび固定材５３の下端部を収容し、これら緩衝材５１ａおよび固定材５３の下端部が、前記笠木５０の下面からはみ出すことを確実に防ぎ、外観性の向上を図ることができる。
【００３１】
また、前記笠木３０の他の一例として、図８に示すような笠木６０が挙げられる。
この笠木６０は、断面視略円形状に形成されており、前記ガラス面材２０の上端部２０ａが挿入される溝部６０ａを備えている。また、この溝部６０ａは、緩衝材６１ａが取り付けられた垂直面部６１と対向面部６２とを有しており、この対向面部６２と前記ガラス面材２０の上端部２０ａの他方の側面との間の隙間には固定材６３が挿入される構成となっている。なお、前記対向面部６２は、前記垂直面部６１の上端部に一体的に設けられるとともに、円弧状に形成されたものである。
また、この笠木６０の溝部６０ａの上面と、前記ガラス面材２０の上端部２０ａとの間には隙間Ｓ２が形成されるようになっており、上部から圧力がかかっても、この隙間Ｓ２を利用して前記笠木６０を撓むように変形させることができ、前記笠木６０の破損を確実に防ぐことができる。
なお、この笠木６０を前記壁２および壁３に固定する際の固定金具は、上述した固定金具７０の形態に限られるものではなく、固定金具の当接板部が、前記対向面部６２に合わせて湾曲したものでもよいし、適宜変更可能である。
【００３２】
次に、前記ガラス面材２０と笠木３０とを有するガラス手摺り１０を建物内の床１に立設するガラス手摺り１０の施工方法について説明する。
まず、予め、前記床１の上面に、前記下枠４を、前記壁２と壁３との間にわたって取り付けておく。この下枠４は、図２に示すように、木ネジ等によって前記床１を構成する壁１ａの上面に固定する。この下枠４の嵌め込み溝部４ａには、予め底面に前記弾性材４ｂを設けておく。
【００３３】
続いて、前記壁２と壁３との間の所定の高さ位置に、前記笠木３０を、前記下枠４の上方に位置するようにして架け渡し、前記固定金具７０を用いて固定する。
この固定金具７０を用いる際の手順は、まず、前記笠木３０を固定すべき位置に、前記固定金具７０の上面が水平な状態を維持しながら、前記固定板部７１を前記壁２および壁３の表面にそれぞれ固定する。この時、壁２および壁３に固定された双方の固定金具７０，７０の、固定板部７１，７１同士と、当接板部７２，７２同士とがそれぞれ向き合うようにする。
続いて、図５（ａ），（ｂ）に示すように、前記笠木３０を、前記溝部３０ａに前記当接板部７２が挿入されるようにして上方から下方に移動させた後、前記笠木３０を、この笠木３０の側部の内側面と、前記当接板部７２とが当接するように水平移動させる。
その後、図５（ｃ）に示すように、前記笠木３０の側部と当接板部７２とを止着材７３によって止め着けて連結する。このようにして前記笠木３０が前記壁２および壁３の表面に固定される。なお、前記笠木３０の側部には、前記当接板部７２の孔部７２ａと対応し、前記止着材７３が設けられる孔部３４が形成されているものとする。
【００３４】
続いて、前記ガラス面材２０の上端部２０ａを前記笠木３０の溝部３０ａに斜めに挿入してから、このガラス面材２０の上端部２０ａを軸にしながら該ガラス面材２０を垂直となるように回転させ、その後、このガラス面材２０の上端部２０ａを前記溝部３０ａに挿入した状態で、このガラス面材２０の下端部２０ｂを前記下枠４の嵌め込み溝部４ａに嵌め込む。
この時、前記パッキン材４ｃを、前記ガラス面材２０の下端部２０ｂの一方の側面と他方の側面とに密接するようにして前記嵌め込み溝部４ａ内に設けるようにする。
【００３５】
続いて、前記溝部３０ａの対向面部３２と前記ガラス２０の上端部２０ａの他方の側面との間の隙間に、前記固定材３３を挿入して、前記ガラス面材２０の上端部２０ａを前記緩衝材３１ａ側に押し付けるようにして固定する。
【００３６】
その後、前記下枠４および前記ガラス面材２０の下端部２０ａを前記化粧材５で被覆する。以上のようにして、前記ガラス手摺り１０を前記床１に立設させることができる。
【００３７】
本実施の形態によれば、前記壁２と壁３との間に架け渡されて固定された笠木３０は、前記溝部３０ａを備えており、この溝部３０ａは、前記緩衝材３１ａが取り付けられた垂直面部３１と対向面部３２とを有していることから、前記ガラス面材２０を、前記笠木３０を前記壁２と壁３との間に架け渡した後から施工できるので、従来に比して、前記笠木３０を前記壁２と壁３との間に容易かつ確実に固定することができる。
さらに、前記対向面部３２と前記ガラス面材２０の上端部２０ａの他方の側面との間の隙間に前記固定材３３が挿入されているので、前記溝部３０ａに挿入されたガラス面材２０の上端部２０ａを、前記緩衝材３１ａ側に押し付けるようにして容易かつ確実に固定することができる。
これによって、前記ガラス手摺り１０を、建物内の床１の上に容易かつ確実に設置することが可能となる。
【００３８】
また、前記笠木３０は、この笠木３０の長さ方向に沿って中空状に形成されているので、前記笠木３０を軽量化できるとともに、コストを低減することができる。
【００３９】
さらに、前記笠木３０の上部の内側面と、前記ガラス面材２０の上端部２０ａとの間に隙間Ｓが形成されているので、上部から圧力がかかっても、この隙間Ｓを利用して前記笠木３０を撓むように変形させることができ、前記笠木３０の破損を確実に防ぐことができる。
【００４０】
また、前記ガラス手摺り１０を施工するにあたり、まず、前記壁２と壁３との間の所定の高さ位置に、前記笠木３０を架け渡して固定することから、前記ガラス面材２０を、前記笠木３０を壁２と壁３との間に架け渡した後から施工できるので、従来に比して、前記笠木３０を前記壁２と壁３との間に、より容易かつ確実に固定することができる。
また、前記ガラス面材２０の上端部２０ａを前記笠木３０の溝部３０ａに斜めに挿入してから、このガラス面材２０の上端部２０ａを軸にしながら該ガラス面材２０を垂直となるように回転させ、その後、このガラス面材２０の上端部２０ａを前記溝部３０ａに挿入した状態で、このガラス面材２０の下端部２０ｂを前記下枠４の嵌め込み溝部４ａに嵌め込むので、前記ガラス面材２０を前記建物内の床１上に容易かつ確実に立設させることができる。
さらに、前記溝部３０ａの対向面部３２と前記ガラス面材２０の上端部２０ａの他方の側面との間の隙間に、前記固定材３３を挿入して、前記ガラス面材２０の上端部２０ａを前記緩衝材３１ａ側に押し付けるようにして固定するので、前記溝部３０ａに挿入されたガラス面材２０の上端部２０ａを、前記緩衝材３１ａ側に押し付けるようにして、より容易かつ確実に固定することができる。
これによって、前記ガラス手摺り１０を、建物内の床１の上に、より容易かつ確実に設置することが可能となる。
その上、前記ガラス面材２０を固定した後に、前記下枠４および前記ガラス面材２０の下端部２０ｂを化粧材５で被覆するので、この化粧材５によって前記下枠４およびガラス面材２０の下端部２０ｂを遮蔽することができ、外観性に優れる。
【００４１】
なお、本実施の形態において前記建物内の床１は、下階６の床６ａ上に立設される壁１ａと、下階６の床６ａの上方の所定の高さ位置に配置される中間床１ｂとで構成されるものとしたが、これに限られるものではない。
すなわち、上述のように吹き抜け部に面して設けられるものとしてもよいし、階段周囲の手摺りとして設けられるものとしてもよく、適宜変更可能である。
【００４２】
また、前記笠木３０が固定される壁２および壁３のうち、一方または双方を、支柱等の被固定体に代えてもよいものとする。
【００４３】
また、前記笠木３０は、廃材から得られた木粉（セルロース系微粉粒）と樹脂との混合材料からなるものとしたが、これに限られるものではなく、木製のものや、ステンレス、スチール、アルミニウム等の金属製のものを用いてもよいものとする。
【符号の説明】
【００４４】
１  床
２  壁
３  壁
１０  ガラス手摺り
２０  ガラス面材
２０ａ  上端部
３０  笠木
３０ａ  溝部
３１  垂直面部
３１ａ  緩衝材
３２  対向面部
３３  固定材
【図１】
2010185234.tif 000003
【図２】
2010185234.tif 000004
【図３】
2010185234.tif 000005
【図４】
2010185234.tif 000006
【図５】
2010185234.tif 000007
【図６】
2010185234.tif 000008
【図７】
2010185234.tif 000009
【図８】
2010185234.tif 000010